【事件の表示】
　特願２００７−　１９５０７「画像表示装置およびその駆動方法」拒絶査定不服審判事件〔平成２０年　８月１４日出願公開、特開２００８−１８５８０９〕について、次のとおり審決する。
【結　論】
　本件審判の請求は、成り立たない。
【理　由】
第１　手続の経緯
　特許出願：　平成１９年１月３０日　  
　手続補正：　平成２４年４月５日（以下、「補正１」という。）  
　手続補正：　平成２４年１０月３日 （以下、「補正２」という。）
　補正２の却下：　平成２５年３月２２日付け（送達日：同年同月２６日）
　拒絶査定：　平成２５年３月２２日付け（送達日：同年同月２６日）  
　拒絶査定不服審判の請求：　平成２５年７月２６日  
　手続補正：　平成２５年７月２６日（以下、「本件補正」という。）
　
  　
第２　補正の却下の決定
　
［結論］
　本件補正を却下する。
　
［理由］
１ 補正の内容
  本件補正によって、特許請求の範囲は、以下のように補正された。
　
（補正前）
「　【請求項１】
　発光素子をそれぞれ有し、第１方向および前記第１方向とは異なる第２方向それぞれに沿って面状に配置される複数の画素回路と、前記画素回路に対して前記第１方向毎に共通に接続された電源線と、を備えた画像表示装置を駆動する画像表示装置の駆動方法であって、
　前記電源線の配線抵抗と、該電源線に共通に接続された前記第１方向に沿った複数の前記画素回路に供給される第１画像データとに基づいて、前記電源線に生じ得る電圧降下を導出する工程と、
　前記導出された前記電圧降下に基づいて前記第１画像データに対する階調の上げ幅を計算し、前記第１画像データから前記上げ幅だけ階調を上げた第２画像データを導出する工程と、
　前記第２画像データに基づいて前記発光素子を発光させる工程と
を備える画像表示装置の駆動方法。
　　【請求項２】
　請求項１に記載の画像表示装置の駆動方法であって、
　前記電圧降下の導出、前記第２画像データの導出、および前記発光素子の発光は、いずれも、単位フレーム期間毎に行われる
画像表示装置の駆動方法。
　　【請求項３】
　発光素子をそれぞれ有し、第１方向および前記第１方向とは異なる第２方向それぞれに沿って面状に配置される複数の画素回路と、
　前記画素回路に対して前記第１方向毎に共通に接続された電源線と、
　前記電源線の配線抵抗と、該電源線に共通に接続された前記第１方向に沿った複数の前記画素回路に供給される第１画像データとに基づいて前記電源線に生じ得る電圧降下を導出する電圧降下導出手段と、
　前記電圧降下導出手段よって導出された前記電圧降下に基づいて前記第１画像データに対する階調の上げ幅を計算し、前記第１画像データから前記上げ幅だけ階調を上げた第２画像データを導出する第２画像データ導出手段と、
　前記第２画像データ導出手段によって導出された前記第２画像データに基づいて前記発光素子を発光させる駆動手段と
を備える画像表示装置。
　　【請求項４】
　請求項３に記載の画像表示装置において、
　前記第１画像データと、前記発光素子に流れる電流との関係を定めるデータが記憶された記憶手段を有し、該記憶手段の前記データが前記電圧降下導出手段によって参照されることにより、前記電源線に生じ得る前記電圧降下が導出される画像表示装置。」
　
（補正後）
「　【請求項１】
　発光素子をそれぞれ有し、第１方向および前記第１方向とは異なる第２方向それぞれに沿って面状に配置される複数の画素回路と、前記画素回路に対して前記第１方向毎に共通に接続された電源線と、を備えた画像表示装置を駆動する画像表示装置の駆動方法であって、
　前記電源線の配線抵抗と、該電源線に共通に接続された前記第１方向に沿った複数の前記画素回路に供給される第１画像データとに基づいて、前記電源線に生じ得る電圧降下を導出する工程と、
　前記導出された前記電圧降下に基づいて前記第１画像データに対する階調の上げ幅を計算し、前記第１画像データから前記上げ幅だけ階調を上げた第２画像データを導出する工程と、
　前記第２画像データに基づいて、前記電源線に接続された前記発光素子を発光させる工程と
を備える画像表示装置の駆動方法。
　　【請求項２】
　請求項１に記載の画像表示装置の駆動方法であって、
　前記電圧降下の導出、前記第２画像データの導出、および前記発光素子の発光は、いずれも、単位フレーム期間毎に行われる
画像表示装置の駆動方法。
　　【請求項３】
　発光素子をそれぞれ有し、第１方向および前記第１方向とは異なる第２方向それぞれに沿って面状に配置される複数の画素回路と、
　前記画素回路に対して前記第１方向毎に共通に接続された電源線と、
　前記電源線の配線抵抗と、該電源線に共通に接続された前記第１方向に沿った複数の前記画素回路に供給される第１画像データとに基づいて前記電源線に生じ得る電圧降下を導出する電圧降下導出手段と、
　前記電圧降下導出手段よって導出された前記電圧降下に基づいて前記第１画像データに対する階調の上げ幅を計算し、前記第１画像データから前記上げ幅だけ階調を上げた第２画像データを導出する第２画像データ導出手段と、
　前記第２画像データ導出手段によって導出された前記第２画像データに基づいて、前記電源線に接続された前記発光素子を発光させる駆動手段と
を備える画像表示装置。
　　【請求項４】
　請求項３に記載の画像表示装置において、
　前記第１画像データと、前記発光素子に流れる電流との関係を定めるデータが記憶された記憶手段を有し、該記憶手段の前記データが前記電圧降下導出手段によって参照されることにより、前記電源線に生じ得る前記電圧降下が導出される画像表示装置。」
　
　上記補正のうち請求項１についての補正を見ると、補正後の請求項１は補正前の請求項１の「前記第２画像データに基づいて前記発光素子を発光させる工程」において、「発光素子」を「前記電源線に接続された」と限定するものである。
　よって、この補正は、特許請求の範囲の減縮を目的とする補正に該当する。
　そこで、本件補正後の前記請求項１に記載された発明（以下、「本願補正発明」という。）が特許出願の際独立して特許を受けることができるものであるかについて以下に検討する。
　
２　検討　
（１）引用例記載の事項・引用発明
（引用例１）
　原査定の拒絶の理由に引用され、本願出願前に頒布された刊行物である国際公開第２００５／１２２１２０号（以下「引用例」という。）には、図面と共に次の事項（ａ）ないし（ｅ）が記載されている。（以下、翻訳文として、対応する特許出願の公表特許公報（特表２００８−５０２０１５号公報）の記載内容を括弧書きで続けて示す。）
　
（ａ）
「The invention relates to a method for driving elements of an illuminated display, and to a circuit for elements of an illuminated display. The invention also relates to an illuminated display having two or more elements according to the invention.
 
Illuminated displays which produce light by means of light emitting means through which current flows have a large number of light emitting means arranged in a suitable form. The light emitting means in this case emit a light flux which is dependent on the electric current flowing through them. The expression light flux describes the total radiated power of the light source. In the following text, the expression current is used to represent the electric current. The light emitting means are combined with further circuit elements to form elements. The further circuit elements include, inter alia, switching means and current control means. Desired currents through the light emitting means are set by the switching means and the current control means. In the case of an illuminated display having two or more elements in a matrix arrangement, monochrome or polychrome images are displayed, by means of a number of pixels. In the case of monochrome images, the images are rastered into individual grey levels for the pixels. The grey levels are in this case different light flux values. One element in each case typically corresponds to one pixel, although it is also feasible for two or more elements to be combined to form one pixel. The various light flux values are produced by different currents through the light emitting means. In the case of a polychrome illuminated display, two or more monochrome elements of different colours normally interact, and form one pixel. Colours different from the original colours of the light emitting means in the elements can be displayed by additive colour mixing for each pixel. The light emitting means include, inter alia, light-emitting diodes. Light-emitting diodes can be produced on the basis of semiconductor materials (for example silicon, germanium), although light-emitting diodes are also available based on organic materials (OLED: Organic Light Emitting Diode). All of these light-emitting diodes have the common feature that the emitted light flux depends on the electric current through the light emitting means.」（第１頁第３行〜第２９行）
（【０００１】
  本発明は電光ディスプレイのエレメントを駆動する方法と電光ディスプレイのエレメントのための回路とに関する。本発明はまた本発明による２つ以上のエレメントを有する電光ディスプレイにも関している。
【０００２】
  電流の流れる発光手段により光を発生させる電光ディスプレイは、適切な形に配置された多数の発光手段を有する。この場合、発光手段はそれらを流れる電流に依存した光束を放射する。光束という表現は光源の全放射出力を表している。以下のテキストでは、currentという表現は電流を表すために使用される。発光手段は別の回路素子と組み合わされて、エレメントを形成する。これら別の回路素子には、とりわけ、スイッチング手段と電流制御手段とが含まれる。発光手段を通る所望の電流はスイッチング手段と電流制御手段とにより設定される。マトリクス状に配置された２つ以上のエレメントを有する電光ディスプレイの場合、複数のピクセルにより単色または多色の画像が表示される。単色画像の場合には、画像はピクセルごとに個別のグレーレベルにラスタ化される。この場合のグレーレベルは異なる複数の光束値である。それぞれの場合における１つのエレメントは一般に１つのピクセルに対応するが、２つ以上のエレメントを組み合わせて１つのピクセルを形成することも可能である。様々な光束値は発光手段を通る異なる電流によって生じる。多色性の電光ディスプレイの場合、通常は、異なる色の２つ以上の単色エレメントが相互作用し、１つのピクセルを形成する。エレメント内の発光手段の元々の色とは異なる色は各ピクセルに対する加法混色により表示することができる。発光手段には、とりわけ、発光ダイオードが含まれる。発光ダイオードは半導体材料（例えば、シリコン、ゲルマニウム）をベースとして製造することができるが、有機材料をベースとした発光ダイオード（ＯＬＥＤ：有機発光ダイオード）も使用可能である。これらの発光ダイオードのすべては、放射光束が発光手段を通る電流に依存するという共通の特徴を有している。）
　
（ｂ）
「In illuminated displays that comprise elements, which are arranged in a matrix arrangement and have individual current control means, the individual elements are arranged in rows and columns. Two or more elements are connected to a common supply line. Depending on the nature of the elements, the common supply line is connected to a supply voltage or to a reference potential, for example ground.
 
　・・・
 
A specific control potential applied to the control electrodes of the current control means for the elements results, as stated further above, in a specific electric current, and thus in a specific light flux. The current control means refer the control potential applied to their control electrodes to the potential at one of their current-carrying connections. This reference potential is in this case, for example, the potential on the supply line at the location of a respective element. The control potential which is referred to the potential at one of the current-carrying connections is the relative control potential. The rated control potential which is applied by a drive circuit to the control electrodes of the current control means is, however, referred to a reference potential. The relative control potential varies with respect to the rated control potential, as a result of the different potential for different elements on the supply line. The varying relative control potential results in an electric current and thus a light flux which differs from the desired electric current or light flux.
 
The potential differences on the supply line also vary depending on the image content being displayed, because the respective currents through the elements vary depending on the image content. The differences between the rated control potential applied by the drive circuit and the relative control potential thus also vary. 」（第３頁第６行〜第３９行）
（【０００８】
  個々に電流制御手段を有するマトリクス状に配置されたエレメントから成る電光ディスプレイにおいて、個々のエレメントは行および列に配置される。２つ以上のエレメントが１つの共通給電線路に接続される。エレメントの性質に応じて、共通給電線路は供給電圧または基準電位、例えばグラウンドに接続される。
　・・・
【００１０】
  エレメントの電流制御手段の制御電極に印加される特定の制御電位は、先に述べたように、特定の電流を、したがってまた特定の光束を生じさせる。電流制御手段は、その導電性接続部のうちの１つにおける電位を、その制御電極に印加される制御電位の基準電位とする。この基準電位は、このケースでは、例えば、各エレメントの位置における給電線路上の電位である。導電性接続部のうちの１つにおける電位を参照する制御電位は相対的制御電位である。しかし、駆動回路により電流制御手段の制御電極に印加される定格制御電位は、基準電位を参照する。エレメントが異なれば給電線路上の電位も異なるため、相対的制御電位は定格制御電位に対して変動する。変化する相対的制御電位は電流を生じさせ、ひいては、所望の電流または光束とは異なる光束を生じさせる。
【００１１】
  給電線路上での電位差もまた表示されている画像内容に応じて変化する。というのも、エレメントを通るそれぞれの電流が画像内容に応じて変化するからである。したがって、駆動回路により印加される定格制御電位と相対的制御電位との間の差も変化する。）
　
（ｃ）
「The control voltage variation which results from voltage drops on the supply line further increases the non- uniform brightness distribution.」（第４頁第２９〜３１行）
（【００１３】
　・・・給電線路上での電圧降下の結果として生じる制御電圧の変化はさらに非一様な輝度分布を強める。）
　
（ｄ）
「The method according to the invention provides for the voltage drop or offset to be expected on a supply line to be calculated from the known resistances between the individual elements and the nominal value of the current in the individual elements. The offset which results from the calculation is combined with the respective rated control potential of the individual elements, for example by being added, thus compensating for the difference to be expected between the rated control voltage and the actual control voltage at the control electrode of the current control means. The currents in the individual elements are known, since the image content to be displayed as well as the relationship between the brightness and current of the light emitting means are known, and are unambiguous. The calculation is carried out continuously, that is to say the offset is also recalculated whenever the image content changes. The method according to the invention typically results in individual elements or groups of elements being driven cyclically.」（第５頁第８行〜第１９行）
（【００１７】
  本発明による方法は、給電線路上で予想される電圧降下またはオフセットを、個々のエレメントの間の既知の抵抗と個々のエレメントにおける電流のノミナル値とから計算する。計算から得られたオフセットは、例えば加算によって、個々のエレメントの相応する定格制御電位と結合されるので、定格制御電圧と電流制御手段の制御電極における実際の制御電圧との間に予想される差が補償される。表示されるべき画像内容ならびに発光手段の輝度と電流との間の関係は既知であり、曖昧でないから、個々のエレメントにおける電流が知られる。計算は連続的に行われる、すなわち、画像内容が変化するたびにオフセットも再計算される。概して、本発明による方法によれば、個々のエレメントまたはエレメントのグループが周期的に駆動される。）
　
（ｅ）
「Figure 3 shows a schematic illustration of a part of an illuminated display. The figure shows a supply line 20 with connected elements 3. In order to assist understanding, the elements 3 are surrounded by dashed lines. A voltage ΔＶ０，ΔＶ１，ΔＶ２，・・・，ΔＶｎ  is in each case dropped across resistors 21, with this voltage being dependent on the currentＩｒｏｗ，０，Ｉｒｏｗ，１，Ｉｒｏｗ，２，・・・Ｉｒｏｗ，ｎ through the resistors 21. The magnitude of the currentsＩｒｏｗ，０，Ｉｒｏｗ，１，Ｉｒｏｗ，２，・・・，Ｉｒｏｗ，ｎ is the sum of the currents through the respective downstream elements 3, ＩＯＬＥＤ０，ＩＯＬＥＤ１，ＩＯＬＥＤ２，・・・，ＩＯＬＥＤｎ The resistances of the resistors 21 are known, as are the values of the currents　ＩＯＬＥＤ０，ＩＯＬＥＤ１，ＩＯＬＥＤ２，・・・，ＩＯＬＥＤｎ through the elements 3. According to the invention, the voltage drops across the individual resistors are calculated. The rated values of the control voltages ＶＤａｔａ，０，ＶＤａｔａ，１，ＶＤａｔａ，２，・・・，ＶＤａｔａ，ｎ (which come from a control circuit that is not illustrated) that are related to a reference voltage are in each case corrected for the calculated voltage drops  ΔＶ０，ΔＶ１，ΔＶ２，・・・，ΔＶｎ ， in order to compensate for these voltage drops in the steady state. In the example illustrated in the figure, the respective voltage drops are calculated as follows: 
　　
　
　
   The index n in the equations denotes the total number of elements connected to the supply line 20. The first sum in the equations represents the total current which flows into the supply line 20. Depending on the position m of the element 3 whose voltage drop is being calculated, the sum of the currents of the upstream elements 3 is subtracted from the total current. The values of the resistors 21 are assumed to be the same, for simplicity. If the resistances are different, these must be taken into account with their actual values.
 
The voltage on the supply line 20 at the current control means 4 for an element 3 at the location m is then calculated as follows:
 
　
 
　The control voltage for an element 3 at the location m must be corrected by the difference between the rated supply voltage V DD  and the voltage V m  on the supply line 20 at the location m, in order to set the desired current through the respective light emitting means 8.」（第８頁第１５行〜第９頁第１６行）
（【００２９】
  図３は電光ディスプレイの一部を概略的に示したものである。この図は給電線路２０を接続されたエレメント３とともに示している。理解を助けるために、エレメント３は破線で囲まれている。電圧ΔＶ０，ΔＶ１，ΔＶ２，・・・，ΔＶｎはそれぞれ抵抗器２１において降下する。なお、この電圧は抵抗器２１を通る電流Ｉｒｏｗ，０，Ｉｒｏｗ，１，Ｉｒｏｗ，２，・・・Ｉｒｏｗ，ｎに依存している。電流Ｉｒｏｗ，０，Ｉｒｏｗ，１，Ｉｒｏｗ，２，・・・Ｉｒｏｗ，ｎの大きさは、後置された各エレメント３を通る電流ＩＯＬＥＤ，０，ＩＯＬＥＤ，１，ＩＯＬＥＤ，２，・・・，ＩＯＬＥＤ，ｎの和である。エレメント３を通る電流ＩＯＬＥＤ，０，ＩＯＬＥＤ，１，ＩＯＬＥＤ，２，・・・，ＩＯＬＥＤ，ｎの値と同様に、抵抗器２１の抵抗は知られている。本発明によれば、個々の抵抗における電圧降下が計算される。基準電圧に関係した制御電圧の定格値 ＶＤａｔａ，０，ＶＤａｔａ，１，ＶＤａｔａ，２，・・・，ＶＤａｔａ，ｎ （図示されていない制御回路から来る）はそれぞれ、定常状態におけるこれらの電圧降下を補償するために、計算された電圧降下ΔＶ０，ΔＶ１，ΔＶ２，・・・，ΔＶｎに関して補正されている。図示されている例では、それぞれの電圧降下は次のように計算される：
　
　・・・
　
　式中のインデックスｎは給電線路２０に接続されているエレメントの総数を表している。式中の第１の和は給電線路２０に流れ込む全電流を表している。電圧降下が計算されているエレメント３の位置ｍに応じて、前置されたエレメント３の電流の和が全電流から減算される。簡単のため、抵抗器２１の値は同じと仮定する。これらの抵抗が異なれば、これらの抵抗はその実際値とともに考慮されなければならない。
【００３０】
  位置ｍにあるエレメント３のための電流制御手段４における給電線路上の電圧は次のように計算される：
　
　・・・
　
位置ｍにあるエレメント３に対する制御電圧は、定格供給電圧ＶDDと位置ｍにおける給電線路２０上の電圧Ｖmとの間の差によって補正されなければならない。）
　
　上記記載（ａ）ないし（ｅ）、及びFig.1ないしFig.5の記載から、引用例には、次の発明が記載されていると認められる。
　
「発光手段として有機発光ダイオードをそれぞれ有し、行および列のマトリクス状に配置される複数のエレメントと、前記エレメントに対して行毎に共通に接続された共通給電線路と、を備えた電光ディスプレイのエレメントを駆動する方法であって、
　画像は、ピクセルごとに個別のグレーレベルにラスタ化され、様々な光束値は発光手段を通る異なる電流によって生じ、
　表示されるべき画像内容ならびに発光手段の輝度と電流との間の既知の関係から個々のエレメントにおける電流が知られ、
　前記給電線路の抵抗器２１の抵抗と、該給電線路に共通に接続された前記行方向に沿った複数の前記エレメントを通る電流とに基づいて、前記給電線路の電圧降下を導出する工程と、
　前記導出された前記電圧降下に基づいて、エレメントの電流制御手段の制御電極に印加される制御電位を補正する工程と、
　前記補正された制御電位に基づいて、前記給電線路に接続された前記有機発光ダイオードを発光させる工程と
を備える電光ディスプレイのエレメントを駆動する方法。」（以下、「引用発明」という。） 
　
（引用例２）
　原査定の拒絶の理由に引用され、本願出願前に頒布された刊行物である特開２００５−９９８２８号公報（以下、「引用例２」という。）には、図面と共に、次の事項（ｆ）ないし（ｋ）が記載されている。 
　
（ｆ）
「【０００１】
  本発明は、自発光装置、特にアクティブマトリクス型自発光装置に関する。その中で特に、画素部に有機エレクトロルミネッセンス（ＥＬ）素子を始めとする自発光素子を用いたアクティブマトリクス型自発光装置に関する。」
　
（ｇ）
「【０００５】
  図１５（Ａ）に、通常の自発光装置の概略を示す。本明細書においては、自発光素子の一例として、有機ＥＬ素子（以降、単にＥＬ素子と記す）を用いて説明する。・・・」
　
（ｈ）
「【００１８】
  ところで、ＥＬ素子等の自発光素子を用いた自発光装置に関する問題点について述べる。・・・」
　
（ｉ）
「【００２１】
  この輝度ムラを解決するには、劣化したＥＬ素子に印加する電圧を上げる方法があるが、通常、自発光装置においては電流供給線は単一配線で構成されており、また、マトリクス状に配置された中での特定の１画素におけるＥＬ素子への印加電圧を変えるための回路を画素部で構成するのは容易でない。・・・」
　
（ｊ） 
「【００２７】
  本発明の、輝度補正機能を有する自発光装置においては、各画素はＥＬ素子と光電変換素子とを有し、ある階調にて表示中のＥＬ素子の輝度を、各画素に配置された光電変換素子によって検出する。続いて、光電変換素子で検出された値と、あらかじめ記憶してあるＥＬ素子の同じ階調における基準輝度とを比較することによって輝度の不足分を演算し、補正回路によって映像信号の階調データの補正が行われた後に表示装置に入力される。表示装置は補正後の映像信号によって映像の表示を行う。以上の方法で、ＥＬ素子の輝度不良が生じた自発光装置においても、輝度ムラを生ずることなく、均一な表示を保つことが出来る。」
　
（ｋ）
「【００７０】
  補正回路１０５に入力された第１の映像信号１０１Ａは、前述の方法で各画素における補正幅を決定し、逐次階調信号に補正信号を加えることによって輝度の補正を行う。図２（Ｄ）（Ｅ）に示すように、各画素に入力されるデジタル映像信号に、求められた補正幅の分だけ階調を上乗せし、正常なＥＬ素子と同等の輝度を得る。このようにして補正が完了した第２の映像信号１０１Ｂは、表示装置１０８へと入力され、映像の表示を行う。」
　
　上記（ｆ）ないし（ｋ）及び図面の記載を総合勘案すると、引用例２には、次の技術が記載されているものと認められる。
「画素部に自発光素子（ＥＬ素子）を用いた自発光装置において、輝度ムラを解決するために、自発光装置（ＥＬ素子）に印加する電圧を上げる方法に代え、輝度の不足分を演算し、階調信号に補正信号を上乗せすることによって、映像信号の階調データの補正を行ない、表示装置は補正後の映像信号によって映像の表示を行う自発光装置。」（以下、「引用例２記載の技術」という。）
　
（２）対比
　本願補正発明と引用発明とを対比する。 
　まず、引用発明における「有機発光ダイオード」は、本願補正発明の「発光素子」に相当し、同様に、引用発明の「エレメント」、「共通給電線路」、及び「電光ディスプレイ」は、それぞれ、本願補正発明の「画素回路」、「電源線」、及び「画像表示装置」に相当するものであるから、引用発明の「有機発光ダイオードをそれぞれ有し、行および列のマトリクス状に配置される複数のエレメントと、前記エレメントに対して行毎に共通に接続された共通給電線路と、を備えた電光ディスプレイのエレメントを駆動する方法」は、本願補正発明の「発光素子をそれぞれ有し、第１方向および前記第１方向とは異なる第２方向それぞれに沿って面状に配置される複数の画素回路と、前記画素回路に対して前記第１方向毎に共通に接続された電源線と、を備えた画像表示装置を駆動する画像表示装置の駆動方法」に相当する。
　また、引用発明の「給電線路の抵抗器２１の抵抗」は、本願補正発明の「電源線の配線抵抗」に相当する。
　次に、引用発明における「ピクセルごとに個別のグレーレベルにラスタ化され」た「表示されるべき画像内容」が、本願補正発明の「複数の前記画素回路に供給される第１画像データ」に相当する。
　次に、引用発明の「エレメントを通る電流」は、引用例１の第３頁第３６行〜第３９行及び同第５頁第８行〜第１９行に記載されているとおり、「エレメントを通るそれぞれの電流が画像内容に応じて変化する」ものであって、「表示されるべき画像内容ならびに発光手段の輝度と電流との間の」既知の関係から知られる電流であるから、「表示されるべき画像内容」から決定されていることは明らかである。よって、引用発明の「前記給電線路の抵抗器２１の抵抗と、該給電線路に共通に接続された前記行方向に沿った複数の前記エレメントを通る電流とに基づいて、前記給電線路の電圧降下を導出する工程」は、本願補正発明の「前記電源線の配線抵抗と、該電源線に共通に接続された前記第１方向に沿った複数の前記画素回路に供給される第１画像データとに基づいて、前記電源線に生じ得る電圧降下を導出する工程」に相当するといえる。
　次に、引用発明の「前記導出された前記電圧降下に基づいて、エレメントの電流制御手段の制御電極に印加される制御電位を補正する工程」と、本願補正発明の「前記導出された前記電圧降下に基づいて前記第１画像データに対する階調の上げ幅を計算し、前記第１画像データから前記上げ幅だけ階調を上げた第２画像データを導出する工程」とは、共に「前記導出された前記電圧降下に基づいて第２パラメータを導出する工程」である点で共通し、また引用発明の「前記補正された制御電位に基づいて、前記給電線路に接続された前記有機発光ダイオードを発光させる工程」と、本願補正発明の「前記第２画像データに基づいて、前記電源線に接続された前記発光素子を発光させる工程」とは、共に「前記第２パラメータに基づいて、前記電源線に接続された前記発光素子を発光させる工程」である点で共通する。
　してみると、両者の一致点及び相違点は、以下のとおりである。
　                        
（一致点）
「発光素子をそれぞれ有し、第１方向および前記第１方向とは異なる第２方向それぞれに沿って面状に配置される複数の画素回路と、前記画素回路に対して前記第１方向毎に共通に接続された電源線と、を備えた画像表示装置を駆動する画像表示装置の駆動方法であって、
　前記電源線の配線抵抗と、該電源線に共通に接続された前記第１方向に沿った複数の前記画素回路に供給される第１画像データとに基づいて、前記電源線に生じ得る電圧降下を導出する工程と、
　前記導出された前記電圧降下に基づいて第２パラメータを導出する工程と、
　前記第２パラメータに基づいて、前記電源線に接続された前記発光素子を発光させる工程と
を備える画像表示装置の駆動方法。」
　
　（相違点）　
　本願補正発明においては、上記「第２パラメータ」が、「第１画像データに対する階調の上げ幅を計算し、前記第１画像データから前記上げ幅だけ階調を上げた第２画像データを導出する工程」により導出された「第２画像データ」であるのに対し、引用発明においては、「エレメントの電流制御手段の制御電極に印加される制御電位を補正する工程」により補正された「制御電位」である点。
　
（３）判断
　そこで、上記相違点について判断すると、引用発明と引用例２記載の技術とは、自発光手段（有機ＥＬ素子）を用いたディスプレイという共通の技術分野に属し、ディスプレイにおける非一様な輝度分布、つまり輝度ムラの発生を防止することを解決課題としている点でも共通する。
　よって、引用発明に引用例２記載の技術を適用し、引用発明において、「前記導出された前記電圧降下に基づいて、エレメントの電流制御手段の制御電極に印加される制御電圧を補正する工程と、前記補正された制御電圧に基づいて、前記給電線路に接続された前記有機発光ダイオードを発光させる」という電圧を用いた輝度補正に代え、「前記導出された前記電圧降下に基づいて」、「輝度の不足分を演算し」、「表示されるべき画像内容」の「グレーレベル」、すなわち「階調信号」に補正信号を上乗せして補正し、該補正された「表示されるべき画像内容」に基づいて「前記給電線に接続された前記有機発光ダイオードを発光させる」ようにして、上記相違点に係る本願補正発明の構成とすることは、当業者が容易になし得たことである。
　また、そのことにより、当業者の予想し得ない特段の作用効果が生じているとも認められない。
　
　したがって、本願補正発明は、引用発明及び引用例２記載の技術に基づいて当業者が容易に発明をすることができたものであるから、特許法第２９条第２項の規定により特許出願の際独立して特許を受けることができないものである。
　　
３　まとめ
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３　本願発明について
１　本願発明
　本件補正は前記のとおり却下されたので、本願の請求項１に係る発明は、補正１によって補正された特許請求の範囲の記載からみて、その特許請求の範囲の請求項１に記載された事項により特定されるとおりのものと認められるところ、その請求項１に係る発明は次のとおりである。
　　
「発光素子をそれぞれ有し、第１方向および前記第１方向とは異なる第２方向それぞれに沿って面状に配置される複数の画素回路と、前記画素回路に対して前記第１方向毎に共通に接続された電源線と、を備えた画像表示装置を駆動する画像表示装置の駆動方法であって、
　前記電源線の配線抵抗と、該電源線に共通に接続された前記第１方向に沿った複数の前記画素回路に供給される第１画像データとに基づいて、前記電源線に生じ得る電圧降下を導出する工程と、
　前記導出された前記電圧降下に基づいて前記第１画像データに対する階調の上げ幅を計算し、前記第１画像データから前記上げ幅だけ階調を上げた第２画像データを導出する工程と、
　前記第２画像データに基づいて前記発光素子を発光させる工程と
を備える画像表示装置の駆動方法。」（以下「本願発明」という。）
　
２　原査定の拒絶の理由
　原査定の拒絶の理由は、本願発明は、その出願前に頒布された刊行物である国際公開第２００５／１２２１２０号（引用例）及び特開２００５−０９９８２８号公報（引用例２）に記載された発明に基づいて、当業者が容易に発明をすることができたものであるから、特許法第２９条第２項の規定により特許を受けることができない、というものである。
　
３　引用例記載の事項・引用発明
　引用例に記載されている事項は、上記「第２　補正の却下の決定　２検討　（１）引用例記載の事項・引用発明」に示したとおりである。
　
　
４　判断
　本願発明は、前記「第２　補正の却下の決定」の「１　補正の内容」で検討した本願補正発明から、発光素子が「前記電源線に接続された」との限定を省いたものである。
　そうすると、本願発明の発明特定事項をすべて含み、さらに他の発明特定事項を減縮したものに相当する本願補正発明が、前記「第２　補正の却下の決定」の「２　検討」における「（３）判断」に記載したとおり、引用発明及び引用例２記載の技術に基づいて当業者が容易に発明をすることができたものであるから、本願発明も同様の理由により、引用発明及び引用例２記載の技術に基づいて当業者が容易に発明をすることができたものである。
　
　したがって、本願発明は、引用発明及び引用例２記載の技術に基づいて当業者が容易に発明をすることができたものである。
　
５　むすび
　以上のとおり、本願発明は、引用発明及び引用例２記載の技術に基づいて当業者が容易に発明をすることができたものであるから、特許法第２９条第２項の規定により特許を受けることができない。
　したがって、他の請求項に係る発明について審理するまでもなく、本願は拒絶すべきものである。
　
　よって、結論のとおり審決する。